(57)【要約】【課題】壁面等に確実に保持することができ、更に壁面等への取り付け部が何らファイルされたシートに対する視野障害となることなく、表裏からファイルされたシート全体を欠けることなく見ることが可能であり、また壁面等への取り付け状態のままでもシートを取り出し或いは差入れ追加することが可能なシートファイル具の提供を課題とする。【解決手段】表カバー１０と裏カバー２０を隣り合う一対の側辺部と底辺部で封止すると共に残る一対の側辺部１０ｂ、２０ｂと上辺部１０ｃ、２０ｃをフリーに開放してシートのファイリング口Ｅとしたシートファイル具１であって、表カバー１０の上辺の少なくとも一部に、裏カバー２０の対応する上辺よりも張り出してなる上辺張り出し部１１を設け、且つ該上辺張り出し部１１の背面の少なくとも一部に、壁面等の被取り付け面Ｗに対して着脱自在に接面して取り付くことができる接面取り付け部３０を設けた。【選択図】      図３
0003159876.tif 000002
【実用新案登録請求の範囲】
【請求項１】
表カバーと裏カバーを隣り合う一対の側辺部と底辺部で封止すると共に残る一対の側辺部と上辺部をフリーに開放してシートのファイリング口としたシートファイル具であって、前記表カバーの上辺の少なくとも一部に、裏カバーの対応する上辺よりも張り出してなる上辺張り出し部を設け、且つ該上辺張り出し部の背面の少なくとも一部に、壁面等の被取り付け面に対して着脱自在に接面して取り付くことができる接面取り付け部を設けたことを特徴とするシートファイル具。
【請求項２】
上辺張り出し部は表カバーの上辺部の全域に設け、接面取り付け部は上辺張り出し部の全幅にわたって帯状に設けてあることを特徴とする請求項１に記載のシートファイル具。
【請求項３】
接面取り付け部は、吸着層で構成してあることを特徴とする請求項１又は２に記載のシートファイル具。
【請求項４】
接面取り付け部は、粘着剤を担持させた吸着層で構成してあることを特徴とする請求項３に記載のシートファイル具。
【請求項５】
接面取り付け部は、非移行性の粘着層で構成してあることを特徴とする請求項１又は２に記載のシートファイル具。
【請求項６】
接面取り付け部は、強磁性を有する軟質層で構成してあることを特徴とする請求項１又は２に記載のシートファイル具。
【請求項７】
少なくとも表カバーは透明又は半透明のカバーであることを特徴とする請求項１〜６の何れかに記載のシートファイル具。
【考案の詳細な説明】
【技術分野】
【０００１】
本考案は、紙等の書類をシートとしてファイルするシートファイル具に関し、より詳しくは、壁面等の被取り付け面に対して着脱自在に取り付けて使用することが可能なシートファイル具に関する。
【背景技術】
【０００２】
従来、クリアファイルと称されるファイルが文房具として提供されている。このクリアファイルは、透明乃至半透明等のシートからなる表カバーと裏カバーを有し、その表裏のカバーの間に書類等のシートを自在に挿入してファイルし、また取り出すことができるようにしたものである。このようなクリアファイルの例としては、下記特許文献１がある。
一方、従来、広告、チラシ、お知らせ、ビジネス書類、メモ、写真等のシートを壁等の被取り付け面に着脱自在に取り付けて掲示することができるクリップが提供されている。このようなクリップの例としては、下記特許文献２、３がある。この特許文献２、３に開示されるクリップは、掲示の対象となるシートをマグネットで挟んで保持し、粘着や吸盤で壁面等の被取り付け面に着脱自在に取り付けるようにしたものである。
下記特許文献４には、掲示の対象となるシートを透明シートからなる袋（具本体）（１）に収容するようにし、その透明の袋（１）を支持プレート（２）に設けたピンや磁石からなる止め具（３ａ、３ｂ）で壁面等に取り付けるようにした掲示用具が開示されている。
更に特許文献５には、壁面等に取り付けることができるクリアファイルが開示されている。この特許文献５のクリアファイルは、表面シート（２）と基材シート（３）を有するクリアファイル（１）において、基材シート（３）の背面側に粘着層（６）を形成し、或いは素材に磁性粉を混練してシート状にしたものを基材シート（３）として用い、この基材シート（３）で壁面等に着脱可能に張り付けることができるようにしていたものである。
【先行技術文献】
【特許文献】
【０００３】
【特許文献１】実用新案登録第３１５３２３６号公報
【特許文献２】特開平１０−５０５１６号公報
【特許文献３】特開２０００−１１０８２１号公報
【特許文献４】実用新案登録第３１３５０１４号公報
【特許文献５】実用新案登録第３１５３８５７号公報
【考案の概要】
【考案が解決しようとする課題】
【０００４】
上記特許文献１に示すような従来のクリアファイルは、複数枚の書類等のシートを自在にファイルすることで、いろいろな書類がデスク等の上に散在するのを防止することができると共に、これらを系統的にまとめで保管できるメリットがある。
しかしながら、特許文献１に示すクリアファイルは、狭いデスク等の上に他の書類やファイルと一緒に積み置かれる状況となり易く、そのような積み置かれた状態では他の書類やファイル等にまみれて存在が希薄となり、必要な際にも速やかに見つけられない等の問題があった。
一方、上記特許文献２、３のクリップにおいては、書類等のシートが、全くカバーされることなく裸のまま、壁等に取り付けられる問題がある。
また上記特許文献４の掲示用具の場合は、書類等のシートを透明の袋（１）に入れて壁面等に掲示することができるメリットがある。しかし、あくまで袋（１）を用いた掲示用具であり、ファイリングには適しておらず、特に出入り口は上辺の一箇所だけであり、しかも支持プレート（２）を袋の中（背面シート１ｂの内側）に配置する構成であるので、袋（１）内へのシートの出し入れ、即ちファイリングが、スムーズにできないものであった。一方、支持プレート（２）の袋（１）内に配置されことから、支持プレート（２）が視野障害となって、内部にファイルされているシートの裏側の一部が見えなくなる問題もあった。
上記特許文献５に開示のクリアファイルは、壁面等に着脱可能に取り付けることができるものではある。しかし基材シート（３）側だけで壁面等に取り付けられ、表面シート（２）は壁面等に対して全くのフリー状態となるので、ファイルされた書類が壁面上でファイルから脱落し易い問題を含んでいた。一方、粘着層（６）を基材シート（３）の裏面に積層するため、粘着層（６）が邪魔となって、裏面側からはファイルされたシートに見えない部分が生じるという欠点があった。
【０００５】
そこで本考案は上記従来における問題点を解決し、書類等のシートをファイルしたままで壁面等に着脱自在に取り付けることができ、壁面等への取り付け状態で表裏のカバーが捲れたりすることなく、ファイルされたシートを壁面等に確実に保持することができ、更に壁面等への取り付け部が何らファイルされたシートに対する視野障害となることなく、表裏からファイルされたシート全体を欠けることなく見ることが可能であり、また壁面等への取り付け状態のままでもシートを取り出し或いは差入れ追加することが可能なシートファイル具の提供を課題とする。
【課題を解決するための手段】
【０００６】
本考案のシートファイル具は、表カバーと裏カバーを隣り合う一対の側辺部と底辺部で封止すると共に残る一対の側辺部と上辺部をフリーに開放してシートのファイリング口としたシートファイル具であって、前記表カバーの上辺の少なくとも一部に、裏カバーの対応する上辺よりも張り出してなる上辺張り出し部を設け、且つ該上辺張り出し部の背面の少なくとも一部に、壁面等の被取り付け面に対して着脱自在に接面して取り付くことができる接面取り付け部を設けたことを第１の特徴としている。
また本考案のシートファイル具は、上記第１の特徴に加えて、上辺張り出し部は表カバーの上辺部の全域に設け、接面取り付け部は上辺張り出し部の全幅にわたって帯状に設けてあることを第２の特徴としている。
また本考案のシートファイル具は、上記第１又は第２の特徴に加えて、接面取り付け部は、吸着層で構成してあることを第３の特徴としている。
また本考案のシートファイル具は、上記第３の特徴に加えて、接面取り付け部は、粘着剤を担持させた吸着層で構成してあることを第４の特徴としている。
また本考案のシートファイル具は、上記第１又は第２の特徴に加えて、接面取り付け部は、非移行性の粘着層で構成してあることを第５の特徴としている。
また本考案のシートファイル具は、上記第１又は第２の特徴に加えて、接面取り付け部は、強磁性を有する軟質層で構成してあることを第６の特徴としている。
また本考案のシートファイル具は、上記第１〜第６の何れかの特徴に加えて、少なくとも表カバーは透明又は半透明のカバーであることを第７の特徴としている。
【考案の効果】
【０００７】
請求項１に記載のシートファイル具によれば、表カバーと裏カバーを隣り合う一対の側辺部と底辺部で封止すると共に残る一対の側辺部と上辺部をフリーに開放してシートのファイリング口としたシートファイル具であって、前記表カバーの上辺の少なくとも一部に、裏カバーの対応する上辺よりも張り出してなる上辺張り出し部を設け、且つ該上辺張り出し部の背面の少なくとも一部に、壁面等の被取り付け面に対して着脱自在に接面して取り付くことができる接面取り付け部を設けたことにより、
書類等のシートをファイリング口から表カバーと裏カバーとの間に出し入れ自在にファイリングすることができると共に、その状態で表カバーの上辺張り出し部の背面に設けた接面取り付け部を壁面等の被取り付け面に着脱自在に接面して、シートファイル具を確実に壁面等に取り付けることができる。壁面等に取り付けることで、ファイルしたシートを簡単に掲示することができると共に、ファイルしたシートを見易い所に且つ立体的に整理整頓して保持しておくことができる。よって書類等をデスク上等で他の書類等の狭間に埋もれさせてしまうといったことなく、壁面等にファイルした状態で保持、保管することができ、必要時に速やかにファイルを見つけ、必要な書類をそこから取り出し、また新たな書類をそこにファイルすることができる。書類の保管、提示等において大きな利便を図ることができる。
また表カバーの上辺張り出し部の背面に設けた接面取り付け部により壁面等の被取り付け面に取り付ける構成であるので、取り付けの際に裏カバーの上部を表カバーにより取り付け面側へ一緒に押えつけることができ、全体を壁面等にピッタリと沿わせて綺麗に掲示することができる。
特に、シートファイル具を壁面等に取り付けるための接面取り付け部が、ファイルされたシートに対する視野障害となるという欠点がなく、表カバー側のみならず裏カバー側からもファイルされたシートの全体を欠けることなく見ることが可能となる。このメリットは、透明材料で構成したシートファイル具をガラス壁やその他の透明壁に取り付けて、内部にファイルしたシートの内容を透明壁の裏側にいる人にも掲示するという場合に特に重要なメリットを奏する。
勿論、本シートファイル具においては、これを壁面等に取り付けた状態であっても、ファイリング口の側方からシートを新たに差入れ、或いは取り出すことが可能である。
る。
【０００８】
請求項２に記載のシートファイル具によれば、上記請求項１の構成による作用効果に加えて、上辺張り出し部は表カバーの上辺部の全域に設け、接面取り付け部は上辺張り出し部の全幅にわたって帯状に設けてあることにより、
シートファイル具をその上辺部の全幅にわたって壁面等に取り付けることができ、確実な壁面等への取り付けを確保することができる。よってまたファイル可能なシート枚数を増やすことができる。
【０００９】
請求項３に記載のシートファイル具によれば、上記請求項１又は２の構成による作用効果に加えて、接面取り付け部は、吸着層で構成してあることにより、
上辺張り出し部の吸着層によって、ガラス壁、金属壁、樹脂壁、その他の材料からなる壁の、少なくとも平滑な表面を備えた壁面等の被取り付け面に対して、繰り返し、着脱自在に接面して取り付けることができる。
【００１０】
請求項４に記載のシートファイル具によれば、上記請求項３の構成による作用効果に加えて、接面取り付け部は、粘着剤を担持させた吸着層で構成してあることにより、
粘着剤を担持させた吸着層により、ガラス壁、金属壁、樹脂壁、その他の材料からなる壁の、少なくとも平滑な表面を備えた壁面に対して、繰り返し、着脱自在に接面して取り付けることができる。加えて、粘着剤が吸着層に担持されているので、その粘着剤が消耗しない状態では、吸着に粘着が加わって、一層確実に壁面に取り付けることができる。また平滑性に多少劣る壁面にも取り付けることができる。なお、粘着剤は吸着層に含浸させた状態で担持させることで、比較的長期に亘ってその粘着効果を持続させることができる。
【００１１】
請求項５に記載のシートファイル具によれば、上記請求項１又は２の構成による作用効果に加えて、接面取り付け部は、非移行性の粘着層で構成してあることにより、
非移行性の粘着層により、ガラス壁面、その他の壁面に接面して取り付けることができる。そして前記粘着層は非移行性の粘着層としているので、使用後にガラス等の壁面に粘着層がこびりつくことも予防できる。勿論、複数回数に亘って着脱を繰り返すことができる。
【００１２】
請求項６に記載のシートファイル具によれば、上記請求項１又は２の構成による作用効果に加えて、接面取り付け部は、強磁性を有する軟質層で構成してあることにより、
磁石が吸着できる壁面等に対して、簡単に接面して取り付けることができる。
【００１３】
請求項７に記載のシートファイル具によれば、上記請求項１〜６の構成による作用効果に加えて、少なくとも表カバーは透明又は半透明のカバーであることにより、
壁面等の被取り付け面に接面して取り付けられた状態で、内部にファイルされた書類等の内容を容易に見ることができる。
【図面の簡単な説明】
【００１４】
【図１】本考案の実施形態に係るシートファイル具の正面図である。
【図２】本考案の実施形態に係るシートファイル具の裏面図で、裏カバーの一部を少しめくった状態を示している。
【図３】本考案の実施形態に係るシートファイル具を壁面に取り付けた状態を示す図である。
【図４】本考案の実施形態に係るシートファイル具を壁面に取り付ける前後の状態を示す縦断面図である。
【考案を実施するための形態】
【００１５】
以下の図面を参照して、本考案に係るシートファイル具を説明し、本考案の理解に供する。しかし、以下の説明は本考案の実用新案登録請求の範囲に記載の考案を限定するものではない。
【００１６】
図１〜図４を参照し、本考案に係るシートファイル具１は、表カバー１０と裏カバー２０とを有する。
シートファイル具１は、表カバー１０と裏カバー２０とが、それらの側辺部（封止側辺部）１０ａ、２０ａで折り曲げられ、またそれらの底辺部１０ｄ、２０ｄで相互に接合されて形成されている。表カバー１０と裏カバー２０の残る一対の側辺部（開放側辺部）１０ｂ、２０ｂと上辺部１０ｃ、２０ｃはフリーに開放され、ファイリング口Ｅとされている。勿論、前記表カバー１０と裏カバー２０は、矩形形状のものをそれぞれ別葉で用意し、それらの一対の側辺部と底辺部とを接合することで一体化し、前記ファイリング口Ｅを構成するようにしてもよい。前記接合は融着、圧着、その他の既存の各種方法で行うことができる。
書類等のファイリングの対象となるシートＳを、シートファイル具１にファイリングする場合、例えば表カバー１０の開放側辺部１０ｂから上辺部１０ｃにかけての肩部を手に持ち、前記ファイリング口Ｅを開けることで、１乃至複数枚の書類等のシートＳを容易に挿入し、また取り出すことができる。
このシートファイル具１は、各種書類、メモ等の文字書類としてのシート、広告、チラシ、お知らせ、ポスター、写真等のシート、模様や図等の絵柄としてのシート、それら文字、写真、絵柄の組み合わせからなるシート等、また材質として紙、プラスチック、その他の材質からなるシート等、あらゆるシートを対象シートＳとして、それらの対象シートＳを１乃至複数枚、出し入れ自在にファイルするものである。
このシートファイル具１は、デスク上に載置したり書庫に立て掛けたりする他、特に壁面やその他の垂直平面等の被着取り付け面Ｗに接面して取り付けることができる大きなメリットがある。
【００１７】
前記表カバー１０は、透明乃至半透明のシートを用いるのが好ましい。表カバー１０の使用材料としては、例えばポリプロピレンを用いることができる。勿論、その他の樹脂材料を用いてもよい。更に樹脂材料以外の材料を用いることも可能である。厚みは特に限定されるものではないが、使用する材料に応じて、内部にファイルされる１乃至複数枚の対象シートＳの重み等に対して簡単には破損せず且つ表カバーを手で捲って前記ファイリング口Ｅを自在に開放することができる柔軟性を有する程度とする。
前記透明乃至半透明シートとは、表カバー１０の下にあるシートＳの記載内容が見えるものという程度の意味である。勿論、色つきのシートも可能である。
【００１８】
前記裏カバー２０は、表カバー１０と同じ材質の樹脂等のシートを用いることができる。勿論、表カバーとは異なる材質のものを用いてもよい。
表カバー１０も裏カバー２０も矩形形状とする。ここで矩形形状とは、正方形、長方形、及びそれらの四隅が少し落とされたような略正方形、略長方形を含む概念である。
【００１９】
本考案のシートファイル具１においては、表カバー１０の上辺部１０ｃに上辺張り出し部１１を設けている。またその上辺張り出し部１１の背面に接面取り付け部３０を積層状態にして設けている。接面取り付け部３０は壁面等の被取り付け面Ｗに対して着脱自在に接面して取り付くことができる機能を備える。
【００２０】
前記表カバー１０の上辺張り出し部１１は、表カバー１０の上辺部１０ｃを、それに対応する裏カバー２０の上辺部２０ｃよりも張り出した状態に構成された領域である。
上辺張り出し部１１は、本実施形態では表カバー１０の上辺部１０ｃの全域に設けている。勿論、上辺張り出し部１１は上辺部１０ｃの全域ではなく、適当な１乃至複数の一部に設けることも可能である。
前記上辺張り出し部１１の背面に設けられる接面取り付け部３０は、本実施形態では上辺張り出し部１１の全幅にわたって帯状に設けている。勿論、この接面取り付け部３０は、上辺張り出し部１１の全幅ではなく、適当な１乃至複数の一部に設けることも可能である。
【００２１】
上記のように構成することで、表カバー１０の上辺張り出し部１１背面の接面取り付け部３０を壁面等の被取り付け面Ｗに取り付けることで、シートファイル具１を被取り付け面Ｗに取り付けて保持することができる。
表カバー１０の上辺張り出し部１１の背面に設けた接面取り付け部３０で、被取り付け面Ｗに接面して取り付けるようにすると、裏カバー２０の上辺部２０ｃが表カバー１０の上辺部１０ｃによって被取り付け面Ｗに押し付けられるため、ファイリング口Ｅが綺麗に閉じられた状態となって、シートファイル具１をピッタリと被取り付け面Ｗに張り付けることができる。
【００２２】
シートファイル具１の被取り付け面Ｗへの取り付けは、該シートファイル具１に予めシートＳをファイルした状態で行うことができる。またシートファイル具１を被取り付け面Ｗに取り付けた状態では、ファイリング口Ｅのうち表裏カバー１０、２０の側辺部１０ｂ、２０ｂの位置から、シートＳを新たにファイリング口Ｅから差し入れてファイルし、或いは既にファイルされたシートＳを取り出すことが可能である。
【００２３】
本考案では、接面取り付け部３０を表カバー１０の上辺張り出し部１１に設けることにより、表裏カバー１０、２０が透明である限りにおいて、シートファイル具１を壁面等の被取り付け面Ｗに取り付けた状態で、邪魔物なく、ファイルされたシートＳの全容を見ることができる。もし接面取り付け部３０を表裏カバー１０、２０の通常の位置、即ちシートＳをファイリングする位置に設ける場合には、差し入れられたシートＳの一部見えなくなる。
また本考案では、接面取り付け部３０を表カバー１０の上辺張り出し部１１に設けることにより、表裏カバー１０、２０が透明である限りにおいて、シートファイル具１をガラス等の透明壁からなる被取り付け面Ｗに取り付けることで、壁面のこちら側だけでなく、その透明壁の反対側からもファイルされたシートＳの内容を隈なく見ることができる。このことは、お知らせ文書やチラシなどを壁を隔てた位置にいる人にも見てもらう場合に非常に都合がよい。
なお、接面取り付け部３０を裏カバー２０の上辺の張り出し部分に設ける場合には、透明壁の反対側からもファイルされたシートＳの内容は見ることはできるが、一方で、壁面等に取り付けられた状態で、シートファイル具１の表カバー１０が何ら壁面等に押し付けられることなくフリーに動く状態となる。このため壁面掲示中に表カバー１０が捲れ、内部のシートＳも捲れるなどして見た目が悪い等、色々と問題が生じる。
【００２４】
前記接面取り付け部３０は、既述したように、シートファイル具１を壁面等の被取り付け面Ｗに接面して取り付ける役割を果たすものである。
この接面取り付け部３０は、吸着層によって積層状態に構成することができる。吸着層の表面を全面で壁面等の被取り付け面Ｗに押し当てることで、被取り付け面Ｗへの吸着がなされ、これによってシートファイル具１が接面状態に被取り付け面Ｗに取り付けられる。また吸着層を被取り付け面Ｗから剥がすことで、シートファイル具１を被取り付け面Ｗから取り外すことができる。また何回も繰り返して使用することができる。
吸着層を接面取り付け部３０として用いたシートファイル具１の場合は、吸着を利用した取り付けであることから、平滑な表面を持つ壁面等の被取り付け面Ｗに好ましく使用することができる。取り付けは着脱自在に繰り返して行うことができる。例えばガラス表面、金属表面、樹脂表面、その他、表面粗さの小さい材料表面に好適である。
前記吸着層としては、少なくとも被取り付け面Ｗに対面する吸着層表面の全面に吸着特性を保有する材料を用いている。
前記接面取り付け部３０は、例えば吸着層を備えた両面テープを用いて構成することができる。即ち、両面テープの一方のテープ面で上辺張り出し部１１の裏面側に、容易に剥離しないように接合、積層して接面取り付け部とする。両面テープの他方のテープ面が壁等の被取り付け面Ｗに対する接面部となって、着脱自在に吸着する。
【００２５】
更に前記接面取り付け部３０は、粘着剤を担持させた吸着層によって積層状態に構成することができる。粘着剤を担持させることで、吸着力に加えて粘着力を発揮し、被取り付け面Ｗへの取り付けが一層確実に行える。また平滑性に多少劣る壁面にも取り付けることができる。
前記粘着剤の担持は、例えば非移行性の粘着剤を吸着層に含浸させることによって行うことができる。含浸させることで、長期にわたって粘着の効果を持続させることができる。
【００２６】
前記接面取り付け部３０は、粘着層によって積層状態に構成することができる。この粘着層は複数回繰り返して使用できるものとする。また粘着層は非移行性の粘着剤を用いて、シートファイル具１を壁面等の被取り付け面Ｗから取り外す際に、粘着剤が被取り付け面Ｗ側に残留しないようにしている。
この粘着層からなる接面取り付け部３０は、粘着層を備えた両面テープを用いて、上記吸着層を備えた接面取り付け部３０の場合と同様に構成することができる。
【００２７】
前記接面取り付け部３０は、強磁性を有する軟質層で積層状態に構成することができる。この強磁性を有する軟質層は、例えば強磁性の磁石粉を分散させたゴムや軟質のプラスチックとすることができる。このような強磁性を有する接面取り付け部３０を用いることで、金属製の壁面やその他、磁石が吸着できるようにした壁面等の被取り付け面Ｗに対して複数回繰り返して使用することができる。
この強磁性を備えた接面取り付け部３０は、強磁性を有する軟質層を備えた両面テープを用いて、上記吸着層を備えた接面取り付け部３０の場合と同様に構成することができる。
【００２８】
前記シートファイル具１の裏カバー２０は、日本工業規格Ａ列、Ｂ列に属する寸法若しくは規定の写真寸法の何れか１つに該当するシートＳが少し余裕をもって入る平面寸法に構成してある。即ち、Ａ２、Ａ３、Ａ４等のＡ列に属する規定の寸法、Ｂ４、Ｂ５等のＢ列に属する規定の寸法、四つ切、八つ切等の規定の写真寸法に属する規定の寸法の何れかの寸法に対応して、その寸法の対象シートＳが多少の余裕をもって収容される平面寸法を定めている。そして表カバー１０は、上辺張り出し部１１の領域で、裏カバー２０よりも大きくなっている。
【産業上の利用可能性】
【００２９】
本考案は広告、チラシ、お知らせ、ポスター、ビジネス書類、メモ等の文字書類としてのシート、写真としてのシート、模様や図等の絵柄としてのシート、それら文字、写真、絵柄の組み合わせからなるシートを、シートＳとして、ファイルし、デスク上に置いたり、書庫に立て掛けたりする他、壁面等に着脱自在に取り付けて使用することができるシートファイル具として産業上利用することができる。
【符号の説明】
【００３０】
１            シートファイル具
１０          表カバー
１０ａ        側辺部
１０ｂ        側辺部
１０ｃ        上辺部
１０ｄ        底辺部
１１          上辺張り出し部
２０          裏カバー
２０ａ        側辺部
２０ｂ        側辺部
２０ｃ        上辺部
２０ｄ        底辺部
３０          接面取り付け部
Ｅ            ファイリング口
Ｓ            シート
Ｗ            被取り付け面
【図１】
0003159876.tif 000003
【図２】
0003159876.tif 000004
【図３】
0003159876.tif 000005
【図４】
0003159876.tif 000006